(57)【要約】      （修正有）【課題】使い勝手に優れ、プール底の清掃を、作業性良く手軽に行うプール清掃具を提供する。【解決手段】プール底面に沿う底部材４Ａを含む枠部材４から形成される周囲枠６を有するフレーム２と、作業者がフレーム２を前方に押進させる棒状の柄３と、前記底部材４に後端部が取り付き、かつ前端縁５Ｅがプール底面と接触することによりプール底面のゴミをすくい上げるブレード板５と、開口部１３を有する袋状をなし、かつ開口部１３が前方に向かって開口するように前記周囲枠６に取り付けられる捕獲ネット７とを具える。【選択図】図１
2016118070.tif 000002
【特許請求の範囲】
【請求項１】
プール底面に沿う底部材を含む枠部材から形成される周囲枠を有するフレームと、
前記フレームに取り付き、かつ作業者が把持して前記フレームを前方に押進させる棒状の柄と、
前記底部材に後端部が取り付き、かつ前端縁がプール底面と接触することによりプール底面のゴミをすくい上げるブレード板と、
開口部を有する袋状をなし、かつ前記開口部が前方に向かって開口するように前記周囲枠に取り付けられることにより、押進時、前記すくい上げられたゴミを前記開口部から取り込む捕獲ネットとを具えることを特徴とするプール清掃具。
【請求項２】
前記底部材の下面よりも下方に突出しかつプール底面と低摩擦で接することにより、前記ブレード板の前端縁をプール底面に接触させながらプール底面上を滑らかに前進移動させうる滑り手段を、前記底部材に設けたことを特徴とする請求項１記載のプール清掃具。
【請求項３】
前記滑り手段は、プール底面上を転動するローラからなることを特徴とする請求項２記載のプール清掃具。
【請求項４】
前記滑り手段は、プール底面と摺接する非回転かつ低摩擦の樹脂部材からなることを特徴とする請求項２記載のプール清掃具。
【請求項５】
前記フレームは、前記捕獲ネットが前記柄よりも上方に浮き上がるのを妨げるガイド部分を有することを特徴とする請求項１〜４の何れかに記載のプール清掃具。
【請求項６】
前記捕獲ネットは、前記開口部が前記周囲枠に取り外し自在に取り付けられることを特徴とする請求項１〜５の何れかに記載のプール清掃具。
【請求項７】
前記捕獲ネットの開口部は、袋本体の前縁に、前記枠部材の廻りで後方側に折り返される折返し部分を有し、かつこの折返し部分と袋本体とが面ファスナーを介して取り外し自在に取り付けられることを特徴とする請求項６記載のプール清掃具。
【発明の詳細な説明】
【技術分野】
【０００１】
本発明は、プール底を掃除するプール清掃具に関する。
【背景技術】
【０００２】
プール底を掃除する清掃具として、例えば、図６のものが多用されている。このものは、柄ａの前端に、ネットｂを張った周囲枠ｃが取り付けられている。又前記周囲枠ｃの前端には、プール底への損傷を防止するゴム製のパッドｄが配される。そしてこの清掃具では、パッドｄで浮かせたプール底のゴミｅを、ネットｂですくい取って清掃している。
【０００３】
しかし上記構造の清掃具では、ネットｂが平らで浅いため、ゴミｅをすくい取り難く、又すくい取ったゴミｄがネットｂからこぼれ易いなど作業効率に劣るものであった。
【０００４】
なお下記の特許文献１などには、プール底のゴミを、ポンプ等を用いて水と一緒に吸い込んで捕獲する所謂掃除機状の清掃装置も提案されている。しかしこれらは、高価でありかつ大掛かりであるため、手軽に使用することは難しい。
【先行技術文献】
【特許文献】
【０００５】
【特許文献１】特開平０８−４３３７号公報
【発明の概要】
【発明が解決しようとする課題】
【０００６】
そこで本発明は、使い勝手に優れ、プール底の清掃を、作業性良く手軽に行いうるプール清掃具を提供することを課題としている。
【課題を解決するための手段】
【０００７】
本発明は、プール底面に沿う底部材を含む枠部材から形成される周囲枠を有するフレームと、
前記フレームに取り付き、かつ作業者が把持して前記フレームを前方に押進させる棒状の柄と、
前記底部材に後端部が取り付き、かつ前端縁がプール底面と接触することによりプール底面のゴミをすくい上げるブレード板と、
開口部を有する袋状をなし、かつ前記開口部が前方に向かって開口するように前記周囲枠に取り付けられることにより、押進時、前記すくい上げられたゴミを前記開口部から取り込む捕獲ネットとを具えることを特徴としている。
【０００８】
本発明に係る前記プール清掃具では、前記底部材の下面よりも下方に突出しかつプール底面と低摩擦で接することにより、前記ブレード板の前端縁をプール底面に接触させながらプール底面上を滑らかに前進移動させうる滑り手段を、前記底部材に設けることが好ましい。
【０００９】
本発明に係る前記プール清掃具では、前記滑り手段として、プール底面上を転動するローラ、及びプール底面と摺接する非回転かつ低摩擦の樹脂部材を用いることができる。
【００１０】
本発明に係る前記プール清掃具では、前記フレームは、前記捕獲ネットが前記柄よりも上方に浮き上がるのを妨げるガイド部分を有することが好ましい。
【００１１】
本発明に係る前記プール清掃具では、前記捕獲ネットは、前記開口部が前記周囲枠に取り外し自在に取り付けられることが好ましい。
【００１２】
本発明に係る前記プール清掃具では、前記捕獲ネットの開口部は、袋本体の前縁に、前記枠部材の廻りで後方側に折り返される折返し部分を有し、かつこの折返し部分と袋本体とが面ファスナーを介して取り外し自在に取り付けられることが好ましい。
【発明の効果】
【００１３】
本発明は叙上の如く、周囲枠の底部材に、前進時、前端縁がプール底面に接触することによりプール底面上のゴミをすくい上げるブレード板と、開口部が前方に向かって開口するように前記周囲枠に取り付けられる袋状の捕獲ネットとを具える。従って、前進により、ブレード板によってすくい上げるゴミを、袋状の捕獲ネット内に順次取り込むことができ、プール底の清掃作業を、手軽にかつ作業性良く行うことができる。
【図面の簡単な説明】
【００１４】
【図１】本発明のプール清掃具の一実施例を示す斜視図である。
【図２】その側面図である。
【図３】その主要部を拡大して示す断面図である。
【図４】（Ａ）は捕獲ネットを示す斜視図、（Ｂ）は開口部の取り付き状態を示す端面図である。
【図５】滑り手段の他の実施例を示す断面図である。
【図６】（Ａ）は従来のプール清掃具を示す斜視図、（Ｂ）はその使用状態を示す断面図である。
【発明を実施するための形態】
【００１５】
以下、本発明の実施の形態について、詳細に説明する。
図１、２に示すように、本実施形態のプール清掃具１は、フレーム２と、このフレーム２に取り付く棒状の柄３と、前記フレーム２の底部材４Ａに取り付くブレード板５と、前記フレーム２の周囲枠６に取り付く捕獲ネット７とを具える。なお本発明では、プール清掃具１が押進される向きを「前」、その逆の向きを「後」として区別される。
【００１６】
前記フレーム２は、枠部材４から形成される周囲枠６を具える。前記枠部材４は、プール底面Ｓに沿う底部材４Ａを少なくとも含む。本例では、枠部材４が、前記底部材４Ａと、この底部材４Ａの長さ方向両端部から立ち上がる一対の側枠部４Ｂと、各側枠部４Ｂの上端部間を継ぐ上枠部４Ｃとを具える場合が示される。これにより本例の周囲枠６は、横長の矩形枠として形成される。
【００１７】
特に限定されないが、本例の底部材４Ａは、例えば幅狭の板状体から形成される。また側枠部４Ｂと上枠部４Ｃは、例えば棒材等をコ字状に折り曲げた折曲げ体の一部として形成されている。なお周囲枠６には、例えば側枠部４Ｂと並列して周囲枠６を補強する、補強用の副枠部４Ｄを含めることができる。
【００１８】
また前記柄３は、作業者が把持して前記フレーム２を前方に向かって押進させる。本例の柄３は、前記周囲枠６に固定の取付け枠部９を介してフレーム２に取り付けられる。取付け枠部９は、前記柄３の前端部を脱着可能に装着しうる筒部９Ａ、及びこの筒部９Ａと前記周囲枠６との間を連結する本体枠９Ｂとを具える。本例の本体枠９Ｂは、前記筒部９Ａから各側枠部４Ｂ（又は副枠部４Ｄ）まで前下がりで傾斜してのびる一対の第１の継材９Ｂ１と、前記筒部９Ａから上枠部４Ｃまで前上がりで傾斜してのびる第２の継材９Ｂ２とから形成される。本例の柄３は、前下がりの傾斜状態にて取付け枠部９に取り付けられる。
【００１９】
図２、３に示すように、前記ブレード板５は、例えばゴム弾性を有する板状体から形成される。ブレード板５は、その後端部が底部材４に取り付くとともに、ブレード板５の前端縁５Ｅは、前記底部材４Ａよりも前方側にはみ出して終端している。そしてこの前端縁５Ｅがプール底面Ｓと接触することにより、ブレード板５は、プール底面Ｓ上のゴミをすくい上げうる。本例では、すくい上げを容易とするために、ブレード板５の前端部上面は、前端縁５Ｅに向かって厚さが漸減するように前下がりの傾斜面５ａで形成される。又前端縁５Ｅとプール底面Ｓとの接触を容易とするため、ブレード板５の前端部下面は、下方に向かって弧状に湾曲する湾曲面５ｂで形成される。
【００２０】
特に限定されないが、本例のブレード板５は、底部材４Ａと押え板１０との間に挟まれて固定される。具体的には、本例の底部材４Ａには、前記ブレード板５及び押え板１０を貫通して立ち上がるボルト金具１１が設けられる。そしてこのボルト金具１１にナット１２を螺着することで、ブレード板５が底部材４Ａと押え板１０との間に固定される。
【００２１】
図１に示すように、前記捕獲ネット７は、開口部１３を有する袋状をなす。この開口部１３は、開口部１３が前方に向かって開口するように前記周囲枠６に取り付けられる。前記開口部１３は、周囲枠６に取り外し自在に取り付けられることが、捕獲ネット７の交換および補修を容易とするために好ましい。
【００２２】
そのために本例では、図４（Ａ）に示すように、開口部１３は、袋本体７Ａの前縁に、前記枠部材４の廻りで後方側に折り返される折返し部分７Ｂを有する。そして図４（Ｂ）に示すように、袋本体７Ａと折返し部分７Ｂとの間で枠部材４を巻き込みながら、袋本体７Ａと折返し部分７Ｂとは、面ファスナー１４を介して互いに連結される。
【００２３】
本例の折返し部分７Ｂは、側枠部４Ｂの廻りで折り返される部分７Ｂ１と、上枠部４Ｃの廻りで折り返される部分７Ｂ２とを具える。又本例の開口部１３には、底部材４Ａとブレード板５との間、或いはブレード板５と押え板１０との間に挟持される挟持部分７Ｃを具える。これにより、開口部１３が、略全周に亘って周囲枠６に強固に取り付けられるとともに、周囲枠６とは取り外し自在となる。なお開口部１３と周囲枠６との取り付け構造として、これ以外の種々な方法が採用しうる。
【００２４】
このような捕獲ネット７は、開口部１３が前方に向かって開口しているため、前進時（押進時）、ブレード板５によってすくい上げられたゴミを、捕獲ネット７内に順次取り込むことができる。なお捕獲ネット７のメッシュ荒さは、要求に応じて適宜設定しうる。
【００２５】
ここで、捕獲ネット７が水中を浮遊してしまうと、一旦取り込まれたゴミが開口部１３からこぼれ易くなるとともに、作業者の手元が隠れて作業しにくくなる傾向となる。そのため本例のフレーム２には、捕獲ネット７が前記柄３よりも上方に浮き上がるのを妨げるガイド部分１５が設けられる。本例では、前記第２の継材９Ｂ２が、このガイド部分１５を構成している。
【００２６】
又一旦取り込まれたゴミが開口部１３からこぼれ出るのを抑制するために、図４（Ａ）に示すように、前記捕獲ネット７の奥行きＬを、開口部１３の高さＨ１の１．０倍以上、好ましくは１．５倍以上とするのが好ましい。又同目的で、捕獲ネット７の高さＨを、後方に向かって漸減させるのも好ましい。
【００２７】
又図１、３に示すように、本例のプール清掃具１は、前記底部材４Ａに、滑り手段２０を具える。この滑り手段２０は、前記底部材４Ａの下面４Ａｓよりも下方に突出し、前記プール底面Ｓとは低摩擦で接する。これにより、ブレード板５の前端縁５Ｅをプール底面Ｓに接触させた前傾姿勢を保ちながら、プール底面Ｓ上を滑らかに前進移動させることができる。前記「低摩擦」とは、プール底面Ｓと底部材４Ａとが直接に接触する場合に比して摩擦力が小さいことを意味する。なお滑り手段２０とプール底面Ｓとの接触位置Ｐは、前記底部材４Ａよりも後方側に位置するのが、前傾姿勢を安定させるために好ましい。
【００２８】
本例では、滑り手段２０として、プール底面Ｓ上を転動可能なローラ２１が用いられる場合が示される。このローラ２１は、前記底部材４Ａの幅方向両端部に、ローラホルダ２２を介して回転自在に枢着される。このローラ２１の外周面の下端部は、前記底部材４Ａの下面４Ａｓよりも下方に突出している。なおローラホルダ２２として、種々な構造のものが採用できる。又ローラホルダ２２を、底部材４Ａの上面側或いは下面側の何れに取り付けることもできる。
【００２９】
図５に示すように、滑り手段２０として、プール底面Ｓと摺接する非回転かつ低摩擦の樹脂部材２３を用いることができる。本例では、樹脂部材２３は取り付け金具２４を介して、底部材４Ａに交換可能に取り付けられる。樹脂部材２３の形状として特に規制されないが、プール底面Ｓとの接触面積を減じるために、下方に向かって凸円弧状に突出する円弧面２３Ｓを有するものが好ましい。前記樹脂部材２３として、特に規制されないが、例えばフェノール（PF）、ポリアセタール(POM)、ポリアミド(PA)、ポリテトラフルオロエチレン(PTFE)、ポリフェニレンサルファイド(PPS)、フッ化ビ二リデン（PVDF)、ポリプロピレン（PP）等が好適に採用しうる。
【００３０】
以上、本発明の特に好ましい実施形態について詳述したが、本発明は図示の実施形態に限定されることなく、種々の態様に変形して実施しうる。
【符号の説明】
【００３１】
１     プール清掃具
２     フレーム
３     柄
４     枠部材４
４Ａ   底部材
５     ブレード板
５Ｅ   前端縁
６     周囲枠
７     捕獲ネット
７Ａ   袋本体
７Ｂ   折返し部分
１３   開口部
１４   面ファスナー
１５   ガイド部分
２０   滑り手段
２１   ローラ
２３   樹脂部材
Ｓ     プール底面
【図１】
2016118070.tif 000003
【図２】
2016118070.tif 000004
【図３】
2016118070.tif 000005
【図４】
2016118070.tif 000006
【図５】
2016118070.tif 000007
【図６】
2016118070.tif 000008